(57)【要約】【課題】  室内に収納家具を自由なレイアウトですっきりと配設でき、且つ地震のときに倒れにくいユニット家具の提供。【解決手段】  外形寸法が同一の複数の収納家具１と、柱状部材２ａとを備え、収納家具は、天板３と底板４と左右の側板５，５と背板６とを有し、天板と底板と左右の側板にネジ挿通孔７が形成してあり、ボルト８とナット９を用いて上下方向及び左右方向に複数連結できるものであり、柱状部材は、平面視正方形であり、各側面１０の横幅寸法ｗが収納家具の奥行き寸法Ｄと同一であり、高さ寸法ｈが収納家具と同一であり、各側面には収納家具の側板のネジ挿通孔に対応する位置にナット１１が埋設してあり、柱状部材２ａを間に介在させて複数の収納家具１を平面視屈曲状又は交差状に配置し、収納家具側板のネジ挿通孔７に挿通したボルト８を柱状部材のナット１１に螺合して、収納家具１と柱状部材２ａとを連結する。【選択図】      図２
0003126348.tif 000002
【実用新案登録請求の範囲】
【請求項１】
外形寸法が同一の複数の収納家具と、柱状部材とを備え、収納家具は、天板と底板と左右の側板と背板とを有し、天板と底板と左右の側板にネジ挿通孔が形成してあり、ボルトとナットを用いて上下方向及び左右方向に複数連結できるものであり、柱状部材は、平面視正多角形であり、各側面の横幅寸法が収納家具の奥行き寸法と同一であり、高さ寸法が収納家具と同一であり、各側面には収納家具の側板のネジ挿通孔に対応する位置にナットが埋設してあり、柱状部材を間に介在させて複数の収納家具を平面視屈曲状又は交差状に配置し、収納家具側板のネジ挿通孔に挿通したボルトを柱状部材のナットに螺合して、収納家具と柱状部材とを連結することを特徴とするユニット家具。
【請求項２】
柱状部材は、平面視正方形であることを特徴とする請求項１記載のユニット家具。
【請求項３】
外形寸法が同一の複数の収納家具と、柱状部材とを備え、収納家具は、天板と底板と左右の側板と背板とを有し、天板と底板と左右の側板にネジ挿通孔が形成してあり、ボルトとナットを用いて上下方向及び左右方向に複数連結できるものであり、柱状部材は、平面視が二等辺三角形又は扇形であり、二等辺三角形の頂角又は扇形の中心角を形成する二側面の横幅寸法が収納家具の奥行き寸法と同一であり、高さ寸法が収納家具と同一であり、前記二側面には収納家具の側板のネジ挿通孔に対応する位置にナットが埋設してあり、柱状部材を間に介在させて複数の収納家具を平面視屈曲状に配置し、収納家具側板のネジ挿通孔に挿通したボルトを柱状部材のナットに螺合して、収納家具と柱状部材とを連結することを特徴とするユニット家具。
【請求項４】
柱状部材は、平面視が直角二等辺三角形又は中心角９０°の扇形であることを特徴とする請求項３記載のユニット家具。
【考案の詳細な説明】
【技術分野】
【０００１】
本考案は、収納家具のレイアウトの自由度を向上したユニット家具に関する。
【背景技術】
【０００２】
複数の箱状の収納家具を上下に重ね、あるいは左右に並べて、隣り合う収納家具の壁同士をボルトとナットを用いて連結できるようにしたユニット家具は、従来から知られている（例えば、特許文献１、特許文献２参照。）。
従来のユニット家具は、収納家具を上下方向と左右方向に連結して、主に壁際に設置される。図１１（ａ）に示すように、室内の交差する２つの壁面９０ａ，９０ｂに沿ってユニット家具９１ａ，９１ｂをそれぞれ設置すると、部屋の入隅部９２に空間ができて体裁が良くない。そこで、図１１（ｂ）に示すように、一方のユニット家具９１ａの角を入隅部９２に密着させ、他方のユニット家具９１ｂの側面を一方のユニット家具９１ａの前面に当接して配置したときには、一方のユニット家具９１ａの入隅部９２側の収納スペースが使用できなくなる。また、図１１（ｃ）に示すように、両ユニット家具９１ａ，９１ｂの側端部を斜め４５°に形成して突き合わせる場合には、特注品となってコストが掛かる。さらに従来のユニット家具は、特に奥行き寸法の小さいものでは、地震のときに倒れやすい不都合があった。
【特許文献１】実用新案登録第３１０５９８７号公報
【特許文献２】実用新案登録第３０６４６４６号公報
【考案の開示】
【考案が解決しようとする課題】
【０００３】
本考案は以上に述べた実情に鑑み、室内に収納家具を自由なレイアウトですっきりと配設でき、且つ地震のときに倒れにくいユニット家具の提供を目的とする。
【課題を解決するための手段】
【０００４】
上記の課題を達成するために請求項１記載の考案によるユニット家具は、外形寸法が同一の複数の収納家具と、柱状部材とを備え、収納家具は、天板と底板と左右の側板と背板とを有し、天板と底板と左右の側板にネジ挿通孔が形成してあり、ボルトとナットを用いて上下方向及び左右方向に複数連結できるものであり、柱状部材は、平面視正多角形であり、各側面の横幅寸法が収納家具の奥行き寸法と同一であり、高さ寸法が収納家具と同一であり、各側面には収納家具の側板のネジ挿通孔に対応する位置にナットが埋設してあり、柱状部材を間に介在させて複数の収納家具を平面視屈曲状又は交差状に配置し、収納家具側板のネジ挿通孔に挿通したボルトを柱状部材のナットに螺合して、収納家具と柱状部材とを連結することを特徴とする。
【０００５】
請求項２記載の考案による家具ユニットは、請求項１記載の考案の構成に加え、柱状部材は、平面視正方形であることを特徴とする。
【０００６】
請求項３記載の考案によるユニット家具は、外形寸法が同一の複数の収納家具と、柱状部材とを備え、収納家具は、天板と底板と左右の側板と背板とを有し、天板と底板と左右の側板にネジ挿通孔が形成してあり、ボルトとナットを用いて上下方向及び左右方向に複数連結できるものであり、柱状部材は、平面視が二等辺三角形又は扇形であり、二等辺三角形の頂角又は扇形の中心角を形成する二側面の横幅寸法が収納家具の奥行き寸法と同一であり、高さ寸法が収納家具と同一であり、前記二側面には収納家具の側板のネジ挿通孔に対応する位置にナットが埋設してあり、柱状部材を間に介在させて複数の収納家具を平面視屈曲状に配置し、収納家具側板のネジ挿通孔に挿通したボルトを柱状部材のナットに螺合して、収納家具と柱状部材とを連結することを特徴とする。
【０００７】
請求項４記載の考案によるユニット家具は、請求項３記載の考案の構成に加え、柱状部材は、平面視が直角二等辺三角形又は中心角９０°の扇形であることを特徴とする。
【考案の効果】
【０００８】
請求項１記載の考案によるユニット家具は、収納家具をボルトとナットを使用して上下方向及び左右方向に複数連結できることに加え、柱状部材を間に介在させることで複数の収納家具を平面視屈曲状や交差状にすっきりと連結できるので、収納家具のレイアウトの自由度が高まり、利便性が向上する。また、そのように複数の収納家具を柱状部材を介して平面視屈曲状や交差状に連結することで、地震の揺れを受けても倒れにくくなる。収納家具と柱状部材との連結は、収納家具側板に形成したネジ挿通孔から柱状部材の側面に埋設したナットにボルトを捩じ込むだけで簡単に行える。
【０００９】
請求項２記載の考案のように、柱状部材を平面視正方形にしたときには、複数の収納家具を柱状部材を介して平面視Ｌ字形、Ｔ字形、十字形に連結することができ、入隅部や出隅部のある壁面に沿って壁面収納棚を連続的に構成したり、室内に自由なレイアウトで間仕切り兼収納棚を構成したりすることができ、極めて利便性の高いユニット家具となる。
【００１０】
請求項３記載の考案によるユニット家具は、収納家具をボルトとナットを使用して上下方向及び左右方向に複数連結できることに加え、柱状部材を間に介在させることで複数の収納家具を平面視屈曲状にすっきりと連結できるので、レイアウトの自由度が高く、利便性が高い。また、そのように複数の収納家具を柱状部材を介して平面視屈曲状に連結することで、地震の揺れを受けても倒れにくくなる。収納家具と柱状部材との連結は、収納家具側板に形成したネジ挿通孔から柱状部材の側面に埋設したナットにボルトを捩じ込むだけで簡単に行える。
【００１１】
請求項４記載の考案によるユニット家具は、柱状部材の平面視が直角二等辺三角形又は中心角９０°の扇形であるため、複数の収納家具を平面視Ｌ字形に連結することができ、入隅部や出隅部のある壁面に沿って壁面収納棚を連続的に構成したり、室内に自由なレイアウトで間仕切り兼収納棚を構成したりすることができ、極めて利便性の高いユニット家具となる。
【考案を実施するための最良の形態】
【００１２】
以下、本考案の実施の形態を図面に基づいて説明する。図１は、本考案のユニット家具の一実施形態を示す斜視図であり、図２はその分解斜視図である。このユニット家具は、外形寸法が同一の複数の収納家具１，１，１と、収納家具１同士を相互に連結する柱状部材２ａとで構成してある。
【００１３】
収納家具１は、天板３と底板４と左右の側板５，５と背板６とを接着や嵌め込みにより組み立てて、前方が開口する矩形の箱状に形成してある。左右の側板５，５の内側面には、ダボ穴１２が横２列で上下方向に多数形成してあり、ダボ穴１２に差し込んだ４個のダボ金具（図示省略）に支持して棚板１３を上下に２枚取付けている。棚板１３は、着脱自在であると共に、高さを調節できる。収納家具１は、横幅寸法Ｗが６００ｍｍ、高さ寸法Ｈが６８０ｍｍ、奥行き寸法Ｄが１７５ｍｍとなっており、文庫分等の書籍や、コンパクトディスク、ビデオカセット等を収納するのに適した薄型キャビネット状となっている。
【００１４】
天板３と底板４は、コーナー部の４箇所にネジ挿通孔７が形成してあり、左右の側板５，５は、上部と下部の２箇所にネジ挿通孔７が形成してある。よって収納家具１は、図４に示すように、上下に重ねた状態で天板３と底板４のネジ挿通孔７に挿入した４組のボルト８とナット９により連結することができるとともに、左右に並べた状態で隣接する側板５，５のネジ挿通孔７に挿入した２組のボルト８とナット９により連結することができる。各板のネジ挿通孔７は、図５に示すように、収納家具１内側の面側に座掘り１４がしてあり、ボルト８の頭やナット９が収納家具１の内周面から飛び出ないようにしてある。またボルト８とナット９は、端面に直径方向に凹溝１５が形成してあり、該凹溝１５に１０円玉等のコインを嵌合することにより、工具を使用せずに回すことができる。
【００１５】
柱状部材２ａは、図２に示すように、４枚の縦長の長方形の板１６を接合して正方形断面の筒体を形成し、その上下の開口部に正方形の板１７を嵌め込んで塞いだものであり、平面視正方形で、内部は空洞になっている。周囲の各側面１０の横幅寸法ｗは収納家具１の奥行き寸法Ｄと同じ１７５ｍｍであり、高さ寸法ｈは収納家具１の高さ寸法Ｈと同じ６８０ｍｍとなっている。すなわち、周囲の各側面１０は、収納家具１の側面と同じ大きさ・形状となっており、収納家具側板５のネジ挿通孔７と同じ位置の２箇所にナット１１が埋設してある。そして、図１と図３に示すように、柱状部材２ａの側面１０に３方から収納家具１の側面を当接させて３つの収納家具１，１，１を平面視Ｔ字形に配置し、収納家具側板５のネジ挿通孔７から挿通したボルト８を柱状部材側面１０に埋設したナット１１に螺合することにより、各収納家具１と柱状部材２ａとを連結固定している。
【００１６】
平面視正方形の柱状部材２ａを使用する場合の収納家具１の配置としては、上記のような平面視Ｔ字形の配置の他、２つの収納家具１を平面視Ｌ字形に配置したり、４つの収納家具１を平面視十字形に配置したりすることもできる。
【００１７】
図６〜図８は、本考案のユニット家具の他の実施形態を示している。収納家具１は、先の実施形態のものと同一である。柱状部材２ｂは、図６に示すように、平面視が直角二等辺三角形であり、直角二等辺三角形の頂角を形成する二側面１０ａ，１０ａの横幅寸法が収納家具１の奥行き寸法Ｄと同一であり、高さ寸法ｈは収納家具１の高さ寸法Ｈと同一である。柱状部材２ｂの前記二側面１０ａ，１０ａには、収納家具側板５のネジ挿通孔７と同じ位置の２箇所にナット１１が埋設してある。そして、図７に示すように、柱状部材２ｂの前記二側面１０ａ，１０ａに収納家具１の側面を当接させて２つの収納家具１，１を平面視Ｌ字形に配置し、収納家具側板５のネジ挿通孔７から挿通したボルト８を柱状部材側面１０ａに埋設したナット１１に螺合することにより、各収納家具１と柱状部材２ｂとを連結固定している。本ユニット家具は、図７に示すように、２つの収納家具１，１の間の角度を９０°で連結できる他、図８に示すように、柱状部材２ｂを前後逆向きに配置することで、２つの収納家具１，１の間の角度を２７０°で連結することもできる。
【００１８】
本ユニット家具は、上述の収納家具１と柱状部材２ａ，２ｂを任意に組合わせることで、室内に自由にレイアウトすることができる。図９は、オフィス等の室内にレイアウトした一例を示している。収納家具１は、上下に２段ないし３段に重ねてボルト８とナット９とで連結するとともに、左右方向にも複数連結し、さらに柱状部材２ａ，２ｂを介して収納家具１を平面視Ｌ字形に連結することで、部屋の入隅部１８や出隅部１９にぴったり沿う形で壁面収納棚２０ａ，２０ｂが連続的に構成してあり、また柱状部材２ａ，２ｂを介して複数の収納棚１を平面視Ｔ字形や十字形に連結することで、間仕切り兼収納棚２１を構成している。このように、平面視が正方形又は直角二等辺三角形で、且つ側面の横幅ｗが収納家具１の奥行き寸法Ｄと同一にした柱状部材２ａ，２ｂを介在させることで、収納家具１同士を平面視Ｌ字形、Ｔ字形、十字形にすっきりと連結することができ、これにより設置スペースの無駄や収納スペースの無駄を生ずることなく、美観に優れ、且つ利便性の高い壁面収納棚や間仕切り兼収納棚を自由なレイアウトで構築できる。また、そのように収納家具１同士を平面視Ｌ字形等で連結することで、地震の揺れを受けても倒れにくくなる。
収納家具１のレイアウトは、後から自由に変更することができるし、また収納家具１を後から好きなレイアウトで増設することもできる。
【００１９】
本考案は、以上に述べた実施形態に限定されない。例えば図１０（ａ）に示すように、柱状部材２ｃを平面視正五角形とし、周囲の各側面１０に５つの収納家具１を放射状に連結することもできる。また図１０（ｂ）に示すように、柱状部材２ｄを平面視が中心角９０°の扇形にしたり、図１０（ｃ）に示すように、柱状部材２ｅを平面視が任意角度の頂角の二等辺三角形にしたりすることもできる。収納家具１は、収納するものに応じて大きさや形を適宜変更することができ、また、引き出しや扉を取り付けることもできる。
【図面の簡単な説明】
【００２０】
【図１】本考案のユニット家具の一実施形態を示す斜視図である。
【図２】図１のユニット家具の分解斜視図である。
【図３】収納家具と柱状部材との連結部を示す横断面図である。
【図４】収納家具同士の連結構造を示す分解斜視図である。
【図５】収納家具同士の連結部を示す縦断面図である。
【図６】本考案のユニット家具の他の実施形態を示す分解斜視図である。
【図７】図６のユニット家具の組み立てた状態の斜視図である。
【図８】図６のユニット家具の変形組立て例を示す斜視図である。
【図９】本考案のユニット家具の全体レイアウトの一例を示す斜視図である。
【図１０】本考案のユニット家具の他の実施形態を示す概略平面図である。
【図１１】従来のユニット家具の設置例を示す概略平面図である。
【符号の説明】
【００２１】
１  収納家具
２ａ，２ｂ，２ｃ，２ｄ，２ｅ  柱状部材
３  天板
４  底板
５  側板
６  背板
７  ネジ挿通孔
８  ボルト
９  ナット
１０，１０ａ  柱状部材の側面
１１  ナット
【図１】
0003126348.tif 000003
【図２】
0003126348.tif 000004
【図３】
0003126348.tif 000005
【図４】
0003126348.tif 000006
【図５】
0003126348.tif 000007
【図６】
0003126348.tif 000008
【図７】
0003126348.tif 000009
【図８】
0003126348.tif 000010
【図９】
0003126348.tif 000011
【図１０】
0003126348.tif 000012
【図１１】
0003126348.tif 000013